(57)【特許請求の範囲】
【請求項１】
低周波治療器であって、
前記低周波治療器は、本体部、蓋部、コード、導子、および、巻き台を有し、
前記本体部は、ケース、操作部、および、回路基板を有し、
前記操作部は、前記ケースに形成され、
前記回路基板は、前記ケースの内部に配置され、前記操作部の操作に応じて低周波電流を出力し、
前記コードは、前記回路基板と前記導子とを互いに接続し、
前記巻き台は、保持部、巻き付け部、および、取付部を有し、前記保持部、前記巻き付け部、および、前記取付部が一体化した構造を有し、
前記取付部は、前記本体部への取り付け、および、前記本体部からの取り外しが可能な構造を有し、
前記保持部は、前記導子が取り付けられる構造を有し、
前記巻き付け部は、前記コードが巻き付けられる構造を有し、前記取付部が前記本体部に取り付けられているとき、前記巻き付け部の一部が前記ケースの外部に突出し、
前記蓋部は、前記ケースへの取り付け、および、前記ケースからの取り外しが可能な構造を有し、前記ケースに取り付けられた前記巻き台を覆う
低周波治療器。
【請求項２】
前記ケースは、嵌合突部を有し、
前記嵌合突部は、前記ケースの開口端に形成され、前記取付部が前記本体部に取り付けられているとき、前記巻き付け部の下方部分を取り囲み、
前記蓋部は、前記嵌合突部への取り付け、および、前記嵌合突部からの取り外しが可能な構造を有し、
前記巻き付け部は、前記取付部が前記本体部に取り付けられているとき、前記巻き付け部の一部である上方部分が前記ケースの外部に突出する
請求項１に記載の低周波治療器。
【請求項３】
前記低周波治療器は、中蓋を有し、
前記中蓋は、前記ケースの内部の空間に配置され、前記ケースの内部の空間を上部空間および下部空間に区画し、引き出し口を有し、
前記上部空間は、前記ケースの開口端側に存在する空間であり、
前記回路基板は、前記下部空間に配置され、
前記コードは、前記引き出し口を介して前記下部空間から前記上部空間に引き出されている
請求項１または２に記載の低周波治療器。
【請求項４】
前記ケースは、導出口を有し、
前記導出口は、前記引き出し口と対応する位置に形成され、前記嵌合突部の先端部から前記ケースの本体部分までを切り欠いた形状を有している
請求項２を引用する請求項３に記載の低周波治療器。
【請求項５】
前記巻き付け部は、切欠きを有し、
前記切欠きは、前記取付部が前記本体部に取り付けられているとき、前記引き出し口と対応する位置に存在している
請求項３または４に記載の低周波治療器。
【請求項６】
低周波治療器であって、
前記低周波治療器は、本体部、第１コード、第２コード、第１導子、第２導子、および、巻き台を有し、
前記本体部は、低周波電流を出力し、
前記第１コードは、前記本体部と前記第１導子とを互いに接続し、
前記第２コードは、前記本体部と前記第２導子とを互いに接続し、
前記巻き台は、前記本体部への取り付け、および、前記本体部からの取り外しが可能な構造を有し、保持部および巻き付け部を有し、前記保持部および前記巻き付け部が一体化した構造を有し、
前記保持部は、保持板を有し、
前記保持板は、表裏の関係を有する第１保持面および第２保持面を有し、
前記第１保持面は、前記第１導子および前記第２導子のうちの一方が取り付けられる構造を有し、
前記第２保持面は、前記第１導子および前記第２導子のうちの他方が取り付けられる構造を有し、
前記巻き付け部は、前記保持板の縁と連続し、前記第１コードおよび前記第２コードが巻き付けられる構造を有している
低周波治療器。
【請求項７】
前記巻き台は、保持枠を有し、
前記保持枠は、前記巻き付け部である底部、第１側壁、および、第２側壁を有し、
前記底部は、前記保持板の縁と連続し、前記保持板に対して前記第１保持面側および前記第２保持面側のそれぞれに突出した形状を有し、
前記第１側壁は、前記底部における前記第１保持面側の端部と連続し、前記底部に対して屈曲し、前記底部から前記第１保持面上の空間とは反対側に向けて突出し、
前記第２側壁は、前記底部における前記第２保持面側の端部と連続し、前記底部に対して屈曲し、前記底部から前記第２保持面上の空間とは反対側に向けて突出している
請求項６に記載の低周波治療器。
【請求項８】
低周波治療器であって、
前記低周波治療器は、本体部、蓋部、コード、導子、および、巻き台を有し、
前記本体部は、一方の端部が閉塞された円筒形状に類似する形状を有し、
前記コードは、前記本体部と前記導子とを互いに接続し、
前記巻き台は、保持部、巻き付け部、および、取付部を有し、前記保持部、前記巻き付け部、および、前記取付部が一体化した構造を有し、
前記取付部は、前記本体部への取り付け、および、前記本体部からの取り外しが可能な構造を有し、
前記保持部は、前記導子が取り付けられる構造を有し、
前記巻き付け部は、前記保持部の周囲を取り囲み、前記保持部の縁と連続し、前記コードが巻き付けられる構造を有し、前記本体部の形状に対応した円筒形状に類似する形状を有し、前記取付部が前記本体部に取り付けられているとき、前記巻き付け部の一部が前記本体部の外部に突出し、
前記蓋部は、一方の端部が閉塞された円筒形状に類似する形状を有し、前記本体部への取り付け、および、前記本体部からの取り外しが可能な構造を有し、前記本体部に取り付けられた前記巻き台を覆い、
前記本体部および前記蓋部は、互いに組み合わせられているときの形状が円柱形状に類似している
低周波治療器。
【請求項９】
低周波治療器であって、
前記低周波治療器は、本体部、コード、導子、固定手段、巻き付け手段、および、巻き止め手段を有し、
前記本体部は、低周波電流を出力し、
前記コードは、前記本体部と前記導子とを互いに接続し、
前記固定手段は、前記本体部への取り付け、および、前記本体部からの取り外しが可能な構造、ならびに、前記導子が取り付けられる構造を有し、
前記巻き付け手段は、前記導子が前記固定手段に取り付けられ、かつ、前記固定手段が前記本体部に取り付けられているときに、前記コードが巻き付けられる構造を有し、
前記巻き止め手段は、二つ折りされて前記巻き付け手段に巻き付けられている前記コードの折り返し端を固定する構造を有している
低周波治療器。
【請求項１０】
低周波治療器であって、
前記低周波治療器は、本体部、コード、導子、および、巻き台を有し、
前記本体部は、ケースを有し、
前記コードは、前記本体部と前記導子とを互いに接続し、
前記巻き台は、保持部、巻き付け部、および、取付部を有し、前記保持部、前記巻き付け部、および、前記取付部が一体化した構造を有し、
前記取付部は、前記本体部への取り付け、および、前記本体部からの取り外しが可能な構造を有し、
前記保持部は、前記導子が取り付けられる構造を有し、
前記巻き付け部は、前記取付部が前記本体部に取り付けられているときに前記コードが巻き付けられる構造を有し、前記取付部が前記本体部に取り付けられているときに前記ケースの内周面との間に隙間を形成する
低周波治療器。
【発明の詳細な説明】
【技術分野】
【０００１】
本発明は、低周波治療器に関するものである。
【背景技術】
【０００２】
従来、低周波治療器の多くは、その低周波電流を発生する治療器本体と導子とが、コードを介して接続された構造を有している。このため、その収納性の向上が治療器の利便性を左右する重要な課題となっている。
【０００３】
例えば、特許文献１には、治療器本体にコードの巻取り機構を内蔵する構成が開示されている。そして、特許文献２には、導子（パッド）の保持部周縁にコードの巻き付け部が形成された巻き付け型の収納具が開示されている。
【先行技術文献】
【特許文献】
【０００４】
【特許文献１】特開２００７−３１３０６９号公報
【特許文献２】特許第３４７３０４０号公報
【発明の概要】
【発明が解決しようとする課題】
【０００５】
しかしながら、近年、低周波治療器においては、その小型化及び構成の簡素化が進んでいる。そのため、上記のようなコード及び導子の収納構造についてもまた、より一層の改良が求められている。
【０００６】
すなわち、巻き取り機構を設けることで、その構成は複雑化する。また、小型の治療器では、そのコードを治療器本体から取り外すことができないものも多い。このため、上記従来例のように、コードを巻き付けた後、その収納具を治療器本体に収容する構成では、収容時にコードが解けないようにする等といった煩雑さに加え、そのコードの巻き付けに時間がかかるという問題がある。
【０００７】
本発明は、構成が簡素であり、小型化が可能であり、コードを容易かつ素早く収納することが可能であり、収納性に優れた低周波治療器を提供することを目的としている。
【課題を解決するための手段】
【０００８】
〔１〕本低周波治療器の独立した一形態は、次の事項を有する。前記低周波治療器は、本体部、蓋部、コード、導子、および、巻き台を有し、前記本体部は、ケース、操作部、および、回路基板を有し、前記操作部は、前記ケースに形成され、前記回路基板は、前記ケースの内部に配置され、前記操作部の操作に応じて低周波電流を出力し、前記コードは、前記回路基板と前記導子とを互いに接続し、前記巻き台は、保持部、巻き付け部、および、取付部を有し、前記保持部、前記巻き付け部、および、前記取付部が一体化した構造を有し、前記取付部は、前記本体部への取り付け、および、前記本体部からの取り外しが可能な構造を有し、前記保持部は、前記導子が取り付けられる構造を有し、前記巻き付け部は、前記コードが巻き付けられる構造を有し、前記取付部が前記本体部に取り付けられているとき、前記巻き付け部の一部が前記ケースの外部に突出し、前記蓋部は、前記ケースへの取り付け、および、前記ケースからの取り外しが可能な構造を有し、前記ケースに取り付けられた前記巻き台を覆う。
〔２〕本低周波治療器の独立した別の一形態は、次の事項を有する。前記ケースは、嵌合突部を有し、前記嵌合突部は、前記ケースの開口端に形成され、前記取付部が前記本体部に取り付けられているとき、前記巻き付け部の下方部分を取り囲み、前記蓋部は、前記嵌合突部への取り付け、および、前記嵌合突部からの取り外しが可能な構造を有し、前記巻き付け部は、前記取付部が前記本体部に取り付けられているとき、前記巻き付け部の一部である上方部分が前記ケースの外部に突出する。
〔３〕前記低周波治療器に従属する一形態は、次の事項を有する。前記低周波治療器は、中蓋を有し、前記中蓋は、前記ケースの内部の空間に配置され、前記ケースの内部の空間を上部空間および下部空間に区画し、引き出し口を有し、前記上部空間は、前記ケースの開口端側に存在する空間であり、前記回路基板は、前記下部空間に配置され、前記コードは、前記引き出し口を介して前記下部空間から前記上部空間に引き出されている。
〔４〕前記低周波治療器に従属する一形態は、次の事項を有する。前記ケースは、導出口を有し、前記導出口は、前記引き出し口と対応する位置に形成され、前記嵌合突部の先端部から前記ケースの本体部分までを切り欠いた形状を有している。
〔５〕前記低周波治療器に従属する一形態は、次の事項を有する。前記巻き付け部は、切欠きを有し、前記切欠きは、前記取付部が前記本体部に取り付けられているとき、前記引き出し口と対応する位置に存在している。
〔６〕本低周波治療器の独立した別の一形態は、次の事項を有する。前記低周波治療器は、本体部、第１コード、第２コード、第１導子、第２導子、および、巻き台を有し、前記本体部は、低周波電流を出力し、前記第１コードは、前記本体部と前記第１導子とを互いに接続し、前記第２コードは、前記本体部と前記第２導子とを互いに接続し、前記巻き台は、前記本体部への取り付け、および、前記本体部からの取り外しが可能な構造を有し、保持部および巻き付け部を有し、前記保持部および前記巻き付け部が一体化した構造を有し、前記保持部は、保持板を有し、前記保持板は、表裏の関係を有する第１保持面および第２保持面を有し、前記第１保持面は、前記第１導子および前記第２導子のうちの一方が取り付けられる構造を有し、前記第２保持面は、前記第１導子および前記第２導子のうちの他方が取り付けられる構造を有し、前記巻き付け部は、前記保持板の縁と連続し、前記第１コードおよび前記第２コードが巻き付けられる構造を有している。
〔７〕前記低周波治療器に従属する一形態は、次の事項を有する。前記巻き台は、保持枠を有し、前記保持枠は、前記巻き付け部である底部、第１側壁、および、第２側壁を有
し、前記底部は、前記保持板の縁と連続し、前記保持板に対して前記第１保持面側および前記第２保持面側のそれぞれに突出した形状を有し、前記第１側壁は、前記底部における前記第１保持面側の端部と連続し、前記底部に対して屈曲し、前記底部から前記第１保持面上の空間とは反対側に向けて突出し、前記第２側壁は、前記底部における前記第２保持面側の端部と連続し、前記底部に対して屈曲し、前記底部から前記第２保持面上の空間とは反対側に向けて突出している。
〔８〕本低周波治療器の独立した別の一形態は、次の事項を有する。前記低周波治療器は、本体部、蓋部、コード、導子、および、巻き台を有し、前記本体部は、一方の端部が閉塞された円筒形状に類似する形状を有し、前記コードは、前記本体部と前記導子とを互いに接続し、前記巻き台は、保持部、巻き付け部、および、取付部を有し、前記保持部、前記巻き付け部、および、前記取付部が一体化した構造を有し、前記取付部は、前記本体部への取り付け、および、前記本体部からの取り外しが可能な構造を有し、前記保持部は、前記導子が取り付けられる構造を有し、前記巻き付け部は、前記保持部の周囲を取り囲み、前記保持部の縁と連続し、前記コードが巻き付けられる構造を有し、前記本体部の形状に対応した円筒形状に類似する形状を有し、前記取付部が前記本体部に取り付けられているとき、前記巻き付け部の一部が前記本体部の外部に突出し、前記蓋部は、一方の端部が閉塞された円筒形状に類似する形状を有し、前記本体部への取り付け、および、前記本体部からの取り外しが可能な構造を有し、前記本体部に取り付けられた前記巻き台を覆い、前記本体部および前記蓋部は、互いに組み合わせられているときの形状が円柱形状に類似している。
〔９〕本低周波治療器の独立した別の一形態は、次の事項を有する。前記低周波治療器は、本体部、コード、導子、固定手段、巻き付け手段、および、巻き止め手段を有し、前記本体部は、低周波電流を出力し、前記コードは、前記本体部と前記導子とを互いに接続し、前記固定手段は、前記本体部への取り付け、および、前記本体部からの取り外しが可能な構造、ならびに、前記導子が取り付けられる構造を有し、前記巻き付け手段は、前記導子が前記固定手段に取り付けられ、かつ、前記固定手段が前記本体部に取り付けられているときに、前記コードが巻き付けられる構造を有し、前記巻き止め手段は、二つ折りされて前記巻き付け手段に巻き付けられている前記コードの折り返し端を固定する構造を有している。
〔１０〕本低周波治療器の独立した別の一形態は、次の事項を有する。前記低周波治療器は、本体部、コード、導子、および、巻き台を有し、前記本体部は、ケースを有し、前記コードは、前記本体部と前記導子とを互いに接続し、前記巻き台は、保持部、巻き付け部、および、取付部を有し、前記保持部、前記巻き付け部、および、前記取付部が一体化した構造を有し、前記取付部は、前記本体部への取り付け、および、前記本体部からの取り外しが可能な構造を有し、前記保持部は、前記導子が取り付けられる構造を有し、前記巻き付け部は、前記取付部が前記本体部に取り付けられているときに前記コードが巻き付けられる構造を有し、前記取付部が前記本体部に取り付けられているときに前記ケースの内周面との間に隙間を形成する。
【発明の効果】
【００１６】
本低周波治療器は、構成が簡素であり、小型化が可能であり、コードを容易かつ素早く収納することが可能であり、収納性に優れている。
【図面の簡単な説明】
【００１７】
【図１】実施形態の低周波治療器の斜視図。
【図２】実施形態の低周波治療器の分解斜視図。
【図３】実施形態の低周波治療器の断面図。
【図４】（ａ）実施形態の導子の斜視図、（ｂ）実施形態のパッドの斜視図。
【図５】実施形態の巻き台の平面図。
【図６】図５のＡ−Ａ線の断面図。
【図７】実施形態の本体部の底面図。
【図８】実施形態の巻き台（及び各導子）が固定された本体部の斜視図。
【図９】実施形態の巻き台に各コードが巻き付けられた本体部の斜視図。
【発明を実施するための形態】
【００１８】
以下、本発明を携帯用の低周波治療器に具体化した一実施形態について説明する。
図１〜図３に示すように、低周波治療器１は、低周波電流を発生する治療器本体２と、治療器本体２から延びる二本のコード３と、各コード３の先端３ａに設けられた導子４とを備えている。
【００１９】
図１に示すように、治療器本体２は、略円筒状に形成されている。また、各コード３は、その基端３ｂ側が一つに束ねられた状態で、治療器本体２の周面から外部に引き出されている。そして、各導子４には、施療部位に当接して低周波電流を通電する粘着性のパッド５が設けられている。
【００２０】
すなわち、各導子４は、パッド５の粘着力に基づいて施療部位に固定される。なお、本実施形態のパッド５は、弾性材料（導電ゴム等）を用いて略円形の当接面５ａを有する薄板状に形成されている。また、図４（ａ）（ｂ）に示すように、パッド５は、その雄端子６が導子４側の雌端子７に嵌合することにより、導子４に対して着脱可能且つ相対回動可能に取着される。そして、低周波治療器１の使用者は、この導子４が固定された施療部位に対し、治療器本体２に設けられた表示部８を確認しつつ、スイッチ９を操作することにより、その低周波治療を行う。
【００２１】
また、図２及び図３に示すように、本実施形態の低周波治療器１は、各コード３を巻き付けることが可能な巻き付け手段としての巻き台１０を備えている。そして、収納時には、この巻き台１０に各コード３及び各導子４を巻き付けた状態で、その治療器本体２内に収容することが可能となっている。
【００２２】
詳述すると、図３、図５及び図６に示すように、本実施形態の巻き台１０は、略円板状の保持板１１を備えた保持部１２を有している。そして、各導子４は、保持板１１の各保持面１１ａ，１１ｂに対し、それぞれ、パッド５が貼り付けられた状態で保持される。
【００２３】
また、保持部１２（保持板１１）の周縁には、径方向外側に開口する断面略コ字状の保持枠１３が設けられている。そして、各コード３は、巻き付け部１４を構成する保持枠１３の底部１３ａに巻き付けられることにより、その枠内に保持されるようになっている。
【００２４】
さらに、保持枠１３には、その枠内と保持部１２とを連通する複数（２箇所）の切欠き１５が形成されている。具体的には、これら各切欠き１５は、保持枠１３の両側壁１３ｂ，１３ｃを切り欠くように形成されている。そして、各コード３は、何れかの切欠き１５（主に切欠き１５ａ）を介して保持枠１３内に導入されるようになっている。
【００２５】
なお、本実施形態では、図２に示すように、各コード３の先端３ａには、その各導子４との接続部分を補強するためのブッシュ１８が設けられている。そして、各導子４を保持する際には、このブッシュ１８を切欠き１５（１５ａ）に合わせて配置することで、その保持枠１３との干渉を防ぐ構成となっている。
【００２６】
一方、図２及び図３に示すように、治療器本体２は、低周波電流を発生する回路基板１９や電池２０等が内蔵された本体部２１と、本体部２１に対して着脱可能に取着される下蓋２２とを備えてなる。そして、巻き台１０は、本体部２１に固定されることにより、蓋部としての下蓋２２に覆われる態様で治療器本体２内に収容されるようになっている。
【００２７】
さらに詳述すると、本体部２１は、有底円筒状のケース２５と、ケース２５の筒内に取着されることにより、回路基板１９や電池２０等の収容空間を形成する中蓋２６とを備えている。なお、本実施形態では、表示部８は、ケース２５の底部に設けられ、スイッチ９は、その外周から突出する態様で設けられている（図１参照）。また、図７に示すように、中蓋２６の中央部には、本体部２１内に収容された電池２０を交換するための電池蓋２７が設けられている。そして、中蓋２６の周縁部には、本体部２１内に収容された回路基板１９から各コード３を引き出すための引き出し口２８が形成されている。
【００２８】
また、図２及び図３に示すように、ケース２５の開口端２５ａには、その軸線方向に突出する円環薄板状の嵌合突部２９が形成されている。また、下蓋２２は、ケース２５と同様、有底（有蓋）円筒状に形成されている。そして、下蓋２２は、その開口端２２ａが嵌合突部２９に嵌合することにより、両者の外周が面一となる状態で、本体部２１に対して着脱可能に取着されるようになっている（図１参照）。
【００２９】
ここで、図２及び図７に示すように、本実施形態では、本体部２１には、ケース２５の開口端２５ａ及び嵌合突部２９を切り欠くことかたちで、導出口３０が形成されている。具体的には、この導出口３０は、中蓋２６に設けられた各コード３の引き出し口２８に対応する周方向位置に設けられている。そして、本体部２１と下蓋２２とが嵌め合わされた状態においては、この導出口３０を介して、各コード３が治療器本体２の外部に引き出されるようになっている（図１参照）。
【００３０】
また、図５及び図６に示すように、巻き台１０は、複数（４つ）の係合爪３１を有している。具体的には、保持枠１３の一方の側壁１３ｂには、その端部にフランジ３２が形成されている。そして、各係合爪３１は、このフランジ３２の先端から各保持面１１ａ，１１ｂと略直交する方向（図６中、上方向）に向かって延設されている。
【００３１】
一方、図７に示すように、本体部２１には、これら各係合爪３１に対応する複数（４つ）の係合凹部３３が形成されている。具体的には、これらの各係合凹部３３は、中蓋２６の周縁部に設けられている。そして、図３に示すように、巻き台１０は、その各係合爪３１と本体部２１側の各係合凹部３３とが係合することにより、本体部２１に対して着脱可能に固定されるようになっている。
【００３２】
さらに詳述すると、図８に示すように、巻き台１０は、本体部２１に固定された状態においても、その各コード３の巻き付け部１４となる保持枠１３の底部１３ａが本体部２１の外部に臨むように形成されている。
【００３３】
具体的には、図３及び図８に示すように、本体部２１に対する固定状態において、巻き台１０の径方向外側は、ケース２５の開口端２５ａに設けられた嵌合突部２９によって包囲されている。しかし、巻き台１０は、その保持枠１３の一部が、嵌合突部２９から軸線方向（図３中、上側）に突出するように形成されている。そして、本実施形態の巻き台１０は、これにより、図９に示すように、各導子４とともに本体部２１に固定された状態で、各コード３を巻き付けることが可能となっている。
【００３４】
なお、保持枠１３の切欠き１５（１５ａ）は、巻き台１０が本体部２１に固定された状態において、その周方向位置が本体部２１側の引き出し口２８と一致するように設定されている。また、図３に示すように、巻き台１０は、その固定状態において、保持枠１３の側壁１３ｂに設けられたフランジ３２が、本体部２１側の嵌合突部２９と対向するように形成されている。そして、これらフランジ３２と嵌合突部２９との間には、各コード３を挟み込むことが可能な隙間３４が設定されている。
【００３５】
次に、上記のように構成された低周波治療器の作用について説明する。
本実施形態の低周波治療器１では、収納時、その各導子４が巻き台１０に保持された状態で本体部２１に固定される。これにより、図８に示すように、容易に、その本体部２１内から引き出された各コード３の基端３ｂ側と各導子４に接続された各コード３の先端３ａ側とを束ねることができる。
【００３６】
また、本体部２１には、引き出し口２８及び巻き台１０（保持枠１３）側の切欠き１５と周方向位置が一致するように、そのケース２５の開口端２５ａ及び嵌合突部２９を切り欠くかたちで導出口３０が形成されている。したがって、同図に示すように、この導出口３０を利用することで、より速やかに、本体部２１に接続された各コード３の基端３ｂ側及び各導子４に接続された各コード３の先端３ａ側を束ねることが可能である。
【００３７】
そして、図９に示すように、本実施形態の低周波治療器１では、このようにして二つ折りに束ねた各コード３を、その束ねた部分から巻き台１０に巻き付けることが可能となっている。
【００３８】
以上、本実施形態によれば、以下のような効果を得ることができる。
（１）各導子４を本体部２１に固定することにより、容易に、各コード３を束ねることができる。そして、各コード３を二つ折りに束ねることで、その巻き台１０に巻き付ける長さは半分になる。その結果、構成な簡素にて、容易且つ素早く各コード３の巻き付けを行うことができる。
【００３９】
（２）巻き台１０は、本体部２１に対して着脱可能、且つ本体部２１に固定された状態で各コード３を巻き付けることが可能になっている。このような構成とすることで、二つ折りに束ねた各コード３を、その束ねた部分から、巻き台１０に巻き付けることができる。これにより、巻き残しなく、コンパクトに各コード３を収容することができる。また、巻き台１０を治療器本体２に収容する際、その巻き付けられた各コード３が解けないようにする等といった煩雑さをなくすことができる。そして、使用時には、本体部２１から巻き台１０を取り外すことで、素早く各コード３を展開することができる。加えて、巻き台１０を本体部２１に固定した状態で各コード３を巻き付ける場合、使用者の多くは、本体部２１を手に持った状態で、その巻き付けを行う。その結果、巻き付けの際、机等に擦れることにより本体部２１（のケース２５）に傷がつくことを防ぐことができる。
【００４０】
（３）巻き台１０は、各導子４を保持する保持部１２を備える。このようにして、巻き付け手段としての巻き台１０と各導子４の固定手段とを一体に形成することにより、容易且つ素早く、各導子４及び巻き台１０を本体部２１に固定することができる。
【００４１】
（４）各コード３の巻き付け部１４は、保持部１２の周縁に形成される。このようにして、巻き付け部１４の内側に保持部１２を配置することで、コンパクト且つ効率良く、各コード３及び各導子４を収納することができる。
【００４２】
（５）巻き台１０は、円状の外形を有する。これにより、無駄なスペースを作ることなく円環状の巻き付け部１４を形成することができる。その結果、小型化を図りつつ、各コード３の円滑な巻き付けを担保することができる。
【００４３】
（６）本体部２１は、巻き台１０に対応した円状の外形を有する。これにより、無駄なスペースを作ることなく、治療器本体２内に巻き台１０を収容することができる。その結果、そのサイズを小型化することができる。また、角部を減らすことで、ポケットや袋等への出し入れがしやすくなる等、携帯器としての利便性を向上させることができる。そして、その丸みを帯びた形状を製品としてのデザイン（例えば、可愛らしい、女性向け等）に活かすことができる。
【００４４】
（７）巻き付け部１４には、巻き付けられた各コード３を枠内に保持する保持枠１３が設けられる。これにより、コンパクト且つ確実に、各コード３を巻き台１０に巻き付けることができる。
【００４５】
（８）保持枠１３には、その枠内と保持部１２とを連通することにより、各コード３を枠内に導入可能な切欠き１５が形成される。これにより、保持枠１３との干渉によって各コード３に負荷がかかることを防ぐことができる。なお、各コード３の先端３ａに各導子４との接続部分を強化するためのブッシュ１８が設けられている場合には、より顕著な効果が得られる。そして、これにより、各コード３の劣化を抑えて、信頼性及び耐久性の向上を図ることができる。
【００４６】
（９）巻き台１０（のフランジ３２）と本体部２１（の嵌合突部２９）との間には、保持枠１３に巻き付けられた各コード３を挟み込んで、その巻回位置を固定することが可能な隙間３４が設定される。これにより、その隙間３４に対し、二つ折りで巻き付けられた各コード３の折り返し端３５を押し込んで、巻き止め手段とすることができる（図９参照）。その結果、簡素な構成にて、その巻き付けられた各コード３が解けないようにすることができる。
【００４７】
（１０）各導子４には、施療部位に当接して低周波電流を通電する粘着性のパッド５が設けられる。そして、保持部１２は、パッド５を貼り付け可能な略円板状の保持板１１を備える。これにより、保持板１１の両面を保持面１１ａ，１１ｂとして、容易且つコンパクトに各導子４を保持させることができる。
【００４８】
（１１）パッド５は、その雄端子６が導子４側の雌端子７に嵌合することにより、導子４に対して着脱可能且つ相対回動可能に取着される。これにより、そのパッド５が貼り付けられた状態であっても、容易に、各導子４から延びる各コード３の延出方向を変えることができる。その結果、施療がしやすくなるとともに、各コード３を巻き付ける際においても、その各導子４との接続部分に設けられたブッシュ１８の周方向位置を保持枠１３の切欠き１５に合わせることができる。
【００４９】
（１２）保持枠１３の切欠き１５は、巻き台１０が本体部２１に固定された状態において、その周方向位置が本体部２１側に設けられた各コード３の引き出し口２８と一致するように設定される。これにより、各コード３は、その巻き始めから基端３ｂ側と各導子４に接続されたの先端３ａ側とが束ねられた状態で巻き台１０に巻き付けられる。その結果、折り曲げや引っ張り等といった負荷をかけることなく、コンパクトに各コード３を巻き付けることができる。
【００５０】
（１３）治療器本体２は、本体部２１と、本体部２１に対して着脱可能に取着される下蓋２２とを備えてなる。そして、巻き台１０は、その本体部２１に固定されることより、下蓋２２に覆われる態様で治療器本体２内に収容される。これにより、巻き台１０に巻き付けられた各コード３及び各導子４を保護するとともに、その巻き台１０からの脱落を防止することができる。加えて、製品としてのデザイン自由度が向上するという利点もある。
【００５１】
（１４）本体部２１には、そのケース２５の開口端２５ａ及び嵌合突部２９（並びにフランジ３２）を切り欠くことにより、各コード３を下蓋２２の外部に導出可能な導出口３０が形成される。このような構成とすれば、本体部２１と下蓋２２とを嵌め合わせた状態で低周波治療器１を使用することができる。これにより、本体部２１（のケース２５の底部）を下にして置いた状態での使用を防止することができる。その結果、机に擦れる等により本体部２１に傷が付くことを回避することができる。そして、その導出口３０を本体部２１側に形成することで、各コード３の挟み込みに注意することなく、下蓋２２を嵌め合わせることができる。
【００５２】
（１５）導出口３０は、本体部２１側に設けられた各コード３の引き出し口２８、及び本体部２１に固定された状態における巻き台１０（保持枠１３）の切欠き１５と、その周方向位置が一致するように設定される。このような構成とすれば、導出口３０を利用して、より速やかに、本体部２１に接続された各コード３の基端３ｂ側及び各導子４に接続された各コード３の先端３ａ側を束ねることができる。
【００５３】
なお、上記実施形態は以下のように変更してもよい。
・上記実施形態では、巻き台１０は、本体部２１に対して着脱可能に固定される構成としたが、本体部２１から着脱不能な構成としてもよい。そして、本体部２１に対して着脱可能な構成であっても、その固定構造については、上記実施形態の構成（係合爪３１及び係合凹部３３間の係合）に限るものではない。
【００５４】
・また、上記実施形態では、巻き台１０に保持部１２を設けることにより、各導子４の固定手段と各コード３の巻き付け手段とを一体に形成することとした。しかし、これに限らず、例えば、本体部２１に固定手段を設ける等、固定手段と巻き付け手段とは、必ずしも一体でなくともよい。そして、固定手段と巻き付け手段とが一体である場合においても、巻き付け部の外側に保持部を設ける構成としてもよい。
【００５５】
・さらに、上記実施形態では、パッド５は、その雄端子６が導子４側の雌端子７に嵌合することにより、導子４に対して着脱可能且つ相対回動可能に取着されることとした。しかし、これ限らず、導子４に対してパッド５が着脱可能、又は相対回動可能な構成であってもよい。すなわち、各導子４から延びる各コード３の延出方向を変える際の容易性を考慮するならば、導子４に対するパッド５の着脱及び相対回動の少なくとも何れかが可能であればよい。そして、その変更容易性を重視しない場合には、導子４に対してパッド５を固定する構成としてもよい。
【００５６】
・上記実施形態では、保持板１１は、その保持面１１ａ，１１ｂにパッド５を貼り付けることができるように、略円板状に形成されることした。しかし、保持板１１の形状等、保持部１２の構成は、必ずしもこれに限るものではない。例えば、保持面１１ａ，１１ｂの形状は、必ずしも円形でなくともよく、パッド５の当接面５ａに合わせた形状とすればよい。また、嵌合等によって、パッド５を取り外した状態の導子４を保持する構成としてもよい。これにより、さらなる小型化を図ることができる。
【００５７】
・上記実施形態では、本体部２１が巻き台１０に対応した円状の外形を有するように、ケース２５を有底円筒状に形成した。しかし、これに限らず、本体部２１の形状は、例えば、半球状等であってもよい。そして、下蓋２２についても、その本体部２１に合わせた形状にするとよい。
【００５８】
・上記実施形態では、巻き台１０（のフランジ３２）と本体部２１（の嵌合突部２９）との間に隙間３４を設定する。そして、この隙間３４に各コード３の折り返し端３５を押し込むことで、その巻回位置を固定可能な巻き止め手段とすることとした。しかし、これに限らず、例えば、保持枠１３の側壁１３ｂ，１３ｃを切り欠いて、折り返し端３５を引っ掛けることが可能な引掛部を形成する等、その他の構造により、巻き止め手段を構成してもよい。
【００５９】
・上記実施形態では、保持部１２（保持板１１）の周縁に径方向外側に開口する断面略コ字状の保持枠１３を設け、その底部１３ａを巻き付け部１４としたが、このような側壁１３ｂ，１３ｃを有する保持枠１３を備えない構成としてもよい。
【符号の説明】
【００６０】
１…低周波治療器、２…治療器本体、３…コード、３ａ…先端、３ｂ…基端、４…導子、５…パッド、５ａ…当接面、６…雄端子、７…雌端子、１０…巻き台、１１…保持板、１１ａ，１１ｂ…保持面、１２…保持部、１３…保持枠、１３ａ…底部、１３ｂ，１３ｃ…側壁、１４…巻き付け部、１５（１５ａ）…切欠き、２１…本体部、２２…下蓋、２５…ケース、２５ａ…開口端、２６…中蓋、２８…引き出し口、２９…嵌合突部、３０…導出口、３１…係合爪、３３…係合凹部、３４…隙間、３５…折り返し端。
【図１】
0005546027.tif 000002
【図２】
0005546027.tif 000003
【図３】
0005546027.tif 000004
【図４】
0005546027.tif 000005
【図５】
0005546027.tif 000006
【図６】
0005546027.tif 000007
【図７】
0005546027.tif 000008
【図８】
0005546027.tif 000009
【図９】
0005546027.tif 000010